(57)【要約】      （修正有）【課題】紳士服などの上着を店頭に展示して販売する場合に、前記上着の詳細な商品情報を、顧客が自分で読取可能にする。【解決手段】本考案の服は、紳士服などの上着の袖の部分に逢着されたブランド表示部材（袖ネーム）を袋状に構成し、その中に当該上着に関する商品情報が記録されたＩＣタグを保持した。読取表示装置を用いてＩＣタグの情報を読み取ることによって、顧客が自分で、ＩＣタグに記録された詳細な商品情報を読み取らせて表示させることができる。【選択図】図１
0003123474.tif 000002
【実用新案登録請求の範囲】
【請求項１】
紳士服などの上着の一部に、当該上着に関する商品情報が記録されたＩＣタグが付設されていることを特徴とするＩＣタグ付き服。
【請求項２】
紳士服などの上着の袖の部分に、当該上着に関する商品情報が記録されたＩＣタグが付設されていることを特徴とするＩＣタグ付き服。
【請求項３】
前記ＩＣタグは、袖の部分に付設された保持手段にて保持されていることを特徴とする請求項２に記載のＩＣタグ付き服。
【請求項４】
前記保持手段は、前記ＩＣタグを収納し得る袋状の構造を備えていることを特徴とする請求項３に記載のＩＣタグ付き服。
【請求項５】
前記ＩＣタグは角の部分を丸めたシート状に形成されていることを特徴とする請求項２、３、４の何れか１項に記載のＩＣタグ付き服。
【請求項６】
前記保持手段は、袖の部分に逢着されたブランド表示部材に設けられていることを特徴とする請求項３、４、５の何れか１項に記載のＩＣタグ付き服。
【請求項７】
請求項１〜６に記載のＩＣタグ付き服の売り場もしくは売り場近傍に、前記ＩＣタグに記録された商品情報を読み取って表示することのできる読取表示装置が配置されていることを特徴とする服売り場の配置構造。
【考案の詳細な説明】
【技術分野】
【０００１】
本考案は、紳士服などの衣料品を店頭に展示して販売することに関するものである。
に関するものである。
【背景技術】
【０００２】
従来より、紳士服などの衣料品を店頭に展示して販売する場合には、衣料品の実物を種々展示しておき、購入希望者（顧客）は個々に手にとって、ブランドやサイズや色合いなどを確認するとともに、価格も確認して購入予定品を選択することが行われている。
その際に、ブランドや価格やサイズや材質は当該商品に添付されている商品タグなどに表示されているが、それ以外の詳細な情報に関しては表示されていることは少ないので、店員を呼んで問い合わせることが多い。
また、店員に問い合わせた場合でも、商品の微妙な違いはベテランの店員でないと、顧客を納得させる説明は困難であった。たとえば、礼服の場合では、同じ黒でも黒さの違いがあり、生地の軽さの違いや、しわのつきやすさの違いや、折り目のとれにくさの違いなど、種々の情報を適切に提示することは容易ではない。
したがって、ベテランでない店員が接客する場合には、顧客は納得いく説明を受けれないので不満足であるという問題があり、ベテランの店員には問い合わせが集中して多忙になり、十分に時間をかけて商品説明をすることができないという問題がある。
【考案の開示】
【考案が解決しようとする課題】
【０００３】
以上のように、種々の詳しい情報を店員に問い合わせることが多くなると、ベテランの店員が不足し、増員するためには人件費がかさむという問題が生じ、顧客にとっては十分納得できる説明を受けることができないので不満足であるという問題が生じる危険性がある。
【０００４】
そこで、本考案は、顧客が自分で随時端末などを操作して詳細な商品情報を納得できるまで確認できるシステムを提供することを目的としてなされたものである。
【課題を解決するための手段】
【０００５】
本考案にかかるＩＣタグ付き服の請求項１では、
紳士服などの上着の一部に、当該上着に関する商品情報が記録されたＩＣタグが付設されている。
請求項２では、紳士服などの上着の袖の部分に、当該上着に関する商品情報が記録されたＩＣタグが付設されている。
請求項３では、前記ＩＣタグは、袖の部分に付設された保持手段にて保持されている。
請求項４では、前記保持手段は、前記ＩＣタグを収納し得る袋状の構造を備えている。
請求項５では、前記ＩＣタグは角の部分を丸めたシート状に形成されている。
請求項６では、前記保持手段は、袖の部分に逢着されたブランド表示部材に設けられている。
請求項７の服売り場の配置構造では、請求項１〜６に記載の上着の売り場もしくは売り場近傍（たとえば１０メートル以内）に、前記ＩＣタグに記録された商品情報を読み取って表示することのできる読取表示装置が配置されている。
【考案の効果】
【０００６】
請求項１の考案によれば、紳士服などの上着の一部に、当該上着に関する商品情報が記録されたＩＣタグが付設されているので、顧客は自分で読取表示装置を使用して詳細な商品情報を知ることができる。
請求項２によれば、紳士服などの上着の袖の部分にＩＣタグが付設されているので、読取操作が容易である。
請求項３によれば、前記ＩＣタグは保持手段に保持されているので、装着や取り外しが容易である。
請求項４によれば、前記保持手段は、前記ＩＣタグを収納し得る袋状になっているので、装着や取り外しが容易である。
請求項５によれば、前記ＩＣタグは角の部分を丸めたシート状に形成されているので生地を傷めない。
請求項６によれば、前記保持手段は、袖の部分に逢着されたブランド表示部材に設けられているので、従来のブランド表示部材を利用することができる。
請求項７の売り場レイアウト構造によれば、請求項１〜６に記載の上着の売り場もしくは売り場近傍に、前記ＩＣタグに記録された商品情報を読み取って表示することのできる読取表示装置が配置されているので、顧客は自分で、各上着に関する詳細な商品情報を確認することができる。
【考案を実施するための最良の形態】
【０００７】
以下に、本考案にかかるＩＣタグ付き服を、その実施の形態を示した図面に基づいて詳細に説明する。
【０００８】
１は本考案にかかるＩＣタグ付き服（以下、「礼服」という。）であり、この場合には紳士用の礼服の場合で説明する。
この礼服１の袖１１にはブランド表示部材（以下、「袖ネーム」という。）２が、たとえば逢着されている。この袖ネーム２には当該礼服のブランド名などが表示されている。そして、この袖ネーム２には袋状の収納部が形成されており、この袋状の収納部にＩＣタグ３が収納されている。
【０００９】
前記ＩＣタグ３には、当該礼服に関する以下の商品情報が記録されている。
１）黒さの区分：超ウルトラブラック、超純黒、超黒、黒、・・・・・など
２）軽さの区分：ＡＡＡ、ＢＢＢ、ＣＣＣ、ＶＶＶ・・・・など
３）しわの区分：ＧＧＧ、ＳＳＳ、・・・・など
４）折り目の区分：形状記憶、ＥＥＥ、・・・・など
５）ほこりの区分：ＱＱ、ＲＲ、・・・・など
６）ゆったり感：ゆったり目、スリム、・・・・など
７）売れ筋：当店NO.１、好調、当店NO.３、・・・など
８）ブランド名：Ｙ・・・、Ｍ・・・、Ｒ・・・、など
【００１０】
店舗の礼服売り場には、上述したような礼服１が多種類展示されている。
そして、礼服売り場、もしくはそこから１０メートル以内の数カ所には、ＩＣタグの読取表示装置４が設置されている。
読取表示装置４は、図２に示したように、自立型の本体４１に、ＩＣタグ読取装置４２と、タッチパネル式ディスプレイ装置４３とが備えられた構成となっている。
前記ＩＣタグ読取装置４２に礼服１を近づけると、袖に装着された袖ネーム２内のＩＣタグ３にアクセスして、記録されている上記商品情報を読み取る。読み取られた商品情報は、表示データに変換されて前記タッチパネル式ディスプレイ装置４３の画面に表示される。
【００１１】
また、タッチパネル式ディスプレイ装置４３のメニュー画面のボタンにタッチすることによって、購入する礼服の使用目的の区分、慶事、弔事、教会、神式、佛式、親族、上司、友人、地域、使用者の年齢、予算範囲、・・・などの各種情報を入力して、これらの各種情報に基づいてアドバイス情報を表示したり、推奨商品を提示することもできる。
【００１２】
また、数種類の商品に絞り込んだ場合には、それぞれの商品の商品情報を前記読取装置４に一時的に記憶させておき、図３に示した表示例のように、一覧対照表示させて、比較検討しやすくすることができる。
【００１３】
以上のように、顧客は気に入った礼服１を、自分でタッチパネル式ディスプレイ装置４３のところに持っていくだけで、その詳細な商品情報を確認し、また、他の商品の商品情報と比較対照することができるので、自分が納得できるまでゆっくり検討することができる。したがって、十分に満足感の得られる買い物ができるのである。
【００１４】
なお、前記ＩＣタグ３に記憶させる商品情報は、上述した項目に限定されるものではなく、種々の情報を記憶させて、読取表示させることが可能である。
なお、前記ＩＣタグ３を収納保持する袖ネーム２は袋状に形成して、ＩＣタグ３を収納した状態で縫い閉じてもよいが、閉じない状態でもよい。
また、前記ＩＣタグは角の部分を丸めたシート状に形成して、生地を痛めないようにするとよい。
なお、前記ＩＣタグ３は、袖ネームに限らず、値段やサイズが表示されたカードを保持するプライスケース内に収納してもよい。
また、前記ＩＣタグ３は、袖の部分に限らず、肩や他の部分に設けた収納部に収納してもよい。
【００１５】
なお、上述したＩＣタグ３は公知の非接触式読取可能なＩＣタグであり、図４に例示したように、アンテナ部３１と記録部３２とが薄いシート状に形成されている。
そして、前記アンテナ部３１によって読取表示装置からの電波を受信して電磁誘導などを利用して動作のための電力を得るのでバッテリーが不要である。このようなＩＣタグ３、もしくは他の形態のＩＣタグを袖ネーム２の袋状の収納部に収納する。
また、前記ＩＣタグ３に記録する情報としては、商品識別情報のみを記録しておき、読取表示装置４側で当該商品識別情報に基づいてデータベースを参照して、当該商品の種々の情報を得て表示するようにしてもよい。
【図面の簡単な説明】
【００１６】
【図１】本考案にかかるＩＣタグ付き服の実施の形態の説明図である。
【図２】読取表示装置の構成図である。
【図３】読取表示装置による表示画面の例である。
【図４】ＩＣタグと袖ネームの説明図である。
【符号の説明】
【００１７】
１  礼服、ＩＣタグ付き服、上着
１１  袖
２  ブランド表示部材、袖ネーム
３  ＩＣタグ
４  読取表示装置
【図１】
0003123474.tif 000003
【図２】
0003123474.tif 000004
【図３】
0003123474.tif 000005
【図４】
0003123474.tif 000006
【手続補正書】
【提出日】平成18年5月12日(2006.5.12)
【手続補正１】
【補正対象書類名】実用新案登録請求の範囲
【補正対象項目名】請求項７
【補正方法】変更
【補正の内容】
【請求項７】
請求項１〜６のいずれか一項に記載のＩＣタグ付き服が展示された売り場もしくは売り場近傍に配置され、前記ＩＣタグに記録された商品情報を読み取って表示するように構成された読取表示装置。
【手続補正３】
【補正対象書類名】明細書
【補正対象項目名】０００５
【補正方法】変更
【補正の内容】
【０００５】
本考案にかかるＩＣタグ付き服の請求項１では、
紳士服などの上着の一部に、当該上着に関する商品情報が記録されたＩＣタグが付設されている。
請求項２では、紳士服などの上着の袖の部分に、当該上着に関する商品情報が記録されたＩＣタグが付設されている。
請求項３では、前記ＩＣタグは、袖の部分に付設された保持手段にて保持されている。
請求項４では、前記保持手段は、前記ＩＣタグを収納し得る袋状の構造を備えている。
請求項５では、前記ＩＣタグは角の部分を丸めたシート状に形成されている。
請求項６では、前記保持手段は、袖の部分に逢着されたブランド表示部材に設けられている。
請求項７の読取表示装置は、請求項１〜６のいずれか一項に記載のＩＣタグ付き服が展示された売り場もしくは売り場近傍に配置され、前記ＩＣタグに記録された商品情報を読み取って表示するように構成されている。
【手続補正４】
【補正対象書類名】明細書
【補正対象項目名】０００６
【補正方法】変更
【補正の内容】
【０００６】
請求項１の考案によれば、紳士服などの上着の一部に、当該上着に関する商品情報が記録されたＩＣタグが付設されているので、顧客は自分で読取表示装置を使用して詳細な商品情報を知ることができる。
請求項２によれば、紳士服などの上着の袖の部分にＩＣタグが付設されているので、読取操作が容易である。
請求項３によれば、前記ＩＣタグは保持手段に保持されているので、装着や取り外しが容易である。
請求項４によれば、前記保持手段は、前記ＩＣタグを収納し得る袋状になっているので、装着や取り外しが容易である。
請求項５によれば、前記ＩＣタグは角の部分を丸めたシート状に形成されているので生地を傷めない。
請求項６によれば、前記保持手段は、袖の部分に逢着されたブランド表示部材に設けられているので、従来のブランド表示部材を利用することができる。
請求項７の読取表示装置によれば、請求項１〜６のいずれか一項に記載のＩＣタグ付き服が展示された売り場もしくは売り場近傍に配置され、前記ＩＣタグに記録された商品情報を読み取って表示するように構成されているので、顧客は自分で、各上着に関する詳細な商品情報を確認することができる。